(57)【要約】      （修正有）【課題】ファッション性と実用性の両方を兼ね備えた着衣脱衣自在なウエアラブルバックを提供する。【解決手段】柔軟性があり軽くて丈夫な素材により、身体（ボデイ）の胸部および背部を覆うよう長方形状に形成したバック本体１を設け、このバック本体１のほぼ中央部に第１開口部８を設け、バック本体１の一端にはボックス状に形成した第１収納部１９を設け、バック本体１の他端には着衣脱衣できる開閉具４を設け、バック本体１の両端に設けた胴部支持部材１５を介して第２、第３開口部１２、１３を形成し、第１収納部１９にかかる負荷を効率的に分散すると共に、不使用時には手のひらサイズにコンパクトに折りたたみ携帯できるようにする。荷物の持ち運びが容易で快適になるとともに、使用時には外観上も洗練されたファッション性の高いものとなり、不使用時には、嵩ばらずに持ち運びが自由である。【選択図】図１
0003200136.tif 000002
【実用新案登録請求の範囲】
【請求項１】
柔軟性があり軽くて丈夫な素材により、身体（ボデイ）の胸部および背部を覆うよう長方形状に形成したバック本体を設け、このバック本体のほぼ中央部に第１開口部を設け、前記バック本体の一端にはボックス状に形成した第１収納部を設け、バック本体の他端には着衣脱衣できる開閉具を設け、前記バック本体の両端に設けた胴部支持部材を介して第２、第３開口部を形成し、前記第１収納部にかかる負荷を効率的に分散すると共に、不使用時には手のひらサイズにコンパクトに折りたたみ携帯できるようにしたことを特徴とする着衣脱衣自在なウエアラブルバッグ。
【請求項２】
前記バック本体の胴部支持部材に身体（ボデイ）胴部のサイズを自由に変更できる調節具を設けたことを特徴とするウエアラブルバッグ。
【考案の詳細な説明】
【考案の詳細な説明】
【技術分野】
【０００１】  本考案はファッション性と実用性の両方を兼ね備えた身体（ボデイ）一体形で、しかも着衣脱衣自在なウエアラブルバックに係り、身体（ボデイ）にかかる使用時の負荷を効率的に分散し、男女を問わず各世代層に幅広く適合し、Ａ４サイズ対応にもかかわらず嵩ばらずに、手のひらサイズに折りたたんで持ち運べるようにした最軽量のウエアラブルバッグに関するものである。
【背景技術】
【０００２】  物入れ用のバッグ類は日常生活に欠かすことのできない必需品である。子どもから若者お年寄りまで、荷物を運ぶ手段としてさまざまな先行技術のバッグ（収納物）が使用されている。女性用としては手提げ用のハンドバックを、また肩に吊り下げて使用するショルダーバックが多く生産され使用されている。男性用としては書類を入れる専用のバックがあり、旅行用としては、男女それぞれが使用するリュックサックが市場で多く使用されているのは周知の通りである。特殊な形状のバックとしては就学児童の小学生が入学時から使用するランドセルが広く知られている。しかしながら先行技術のバック例えばハンドバッグあるいはショルダーバックの場合は手軽るに物を出し入れできる反面、持ち運ぶ荷物の負荷がそれぞれ手と肩に集中してかかるために、持ち運ぶ荷物の量が制限されるばかりでなく、両手が自由に使えない欠点があった。またリュックやランドセルの場合は両手が自由に使える反面、収納する荷物の負荷を両肩のベルトで支えるために、両肩に集中して負荷がかかるばかりでなく、左右のベルトが肩から外れ易い等の多くの欠点があった。
【考案の開示】
【考案が解決しようとしている課題】
【０００３】現在市販されいるバッグ類は当然のことながらベルトを使用している。このベルトを使用せずにバック自体そのものを着衣脱衣できないかと云う課題と発想の原点に立ち、従来身体（ボデイ）の手、肩、に集中してかかっていた荷物の負荷を分散してバックの使用時の状態を画期的に改善したものである。とくに社会問題でもある環境にも配慮し生地の無駄がなく効率よく裁断加工できるようにしたものである。周知の通り、先行技術のバック類は構造が複雑でパーツ数も多く、その形状も直線より曲線形状のものが多いために原材料（生地）の無駄が多く発生していた。もし生地の裁断加工を曲線加工せずに、直線に裁断加工できれば、環境上の保護に貢献できるばかりでなく、形状がシンプルなためにコストダウンが当然期待できる。とくに最大の課題は日々日常的に使用されているバック類が両手、肩等に部分的に集中してかかる荷物の負荷を効率良く分散し、バックの使用時は従来にない使用感を達成できると共に、不使用には嵩ばらずに手のひらサイズに折りたたみ持ち運べるようにしたものである。
【課題を解決するための手段】
【０００４】  ナイロン、ポリエステル繊維のような柔軟性があり、軽くて丈夫な素材により、身体（ボデイ）の胸部および背部を覆うよう長方形状に形成したバック本体を設け、このバック本体のほぼ中央部に第１開口部を設け、前記バック本体の一端にはボックス状に形成した第１収納部を設け、バック本体の他端には着衣脱衣できる開閉具を設け、前記バック本体の両端に設けた胴部支持部材を介して第２，第３開口部を形成し、前記第１収納部にかかる負荷を効率的に分散し、使用時における荷物の持ち運びを快適にし、不使用時にはコンパクトに折りたたみ携帯できるようにしたものである。
【考案の効果】
【０００５】  身体（ボデイ）の背中ほぼ全域を覆うよう大きな収納部によってＡ４サイズ対応が容易に達成できると共に、収納部の荷物の負荷をベルトを使用せずに分散し、使用時における快適性を一層高められるようにしたものである。
とくに重要な効果としては素材を直線的に方形に裁断加工が可能なため、素材の無駄がなく著じるしくコストダウンを計ることができる。環境にも配慮したものである。パーツ数も極めて少なくバックを構成する一枚の面積が広く大きく取れるために、一般市場向けの製品としての販売はもちろんのこと、企業のイベントキャンペーン等におけるプレミアム・ノベルティとしての活用の用途効果は大きく社会的意義は決して小さくない。
【図面の簡単な説明】
【０００６】
【図１】本考案の立体斜視図である。
【図２】本考案の正面図である。
【図３】本考案の右側面図である。
【図４】本考案の背面図である。
【図５】本考案を持ち運こぶ携帯用の袋の正面図である。
【本考案を実施するための最良の形態】
【０００７】  本考案のウエアラブルバッグを添付の図面を参照して説明すると以下の通りである。
【０００８】  本考案のウエアラブルバッグは図１において立体斜視図で示されている。図示上では全体の構造が容易に理解できるように直線的な表現で示してあるが、１はナイロン、ポリエステル等の柔軟性があり、しかも軽くて丈夫な素材のバック本体を示したものである。バッグ本体１は身体（ボデイ）の上半身（図示せず）における前部、すなわち胸部から腹部（図示せず）を覆う前面支持部材２、３を縦方向に二つに分割裁断し、開閉具４によって前面支持部材２、３が左右に自在に開閉できるよう構成する。５、６は開閉具４の開放時に役立つつまみ片で、襟元部７のフッションアクセントとして小さく形成する。８は身体（ボデイ）の首部（図示せず）が自由に動ける大きさに形成した第１開口部で、この第１開口部８は方形に形成する。９、１０は肩支持部材で、この肩支持部材９、１０によって前記前面支持部材２、３と前面支持部材１１とを一体に形成する。１２、１３は前記前面支持部材２、３と背面支持部材１１との間に形成される第２、第３開口部を示し、この第２、第３開口部１２、１３によって身体（ボデイ）の両腕（図示せず）が自由に出し入れできるようにする。１４、１５は胴部支持部材で、この胴部支持部材１４、１５によって前記前面支持部材２、３と背面支持部材１１とを身体（ボデイ）の胴部附近において互いに連結形成する。１６は身体（ボデイ）の歩行を容易にするために設けたスリットを示したものである。
【０００９】  実施例１７、１８はサイズ調節金具で、この調節金具１７、１８により前記前面支持部材２、３と背面支持部材１１との間隙を自由に調節できるようにしたものである。前記背面支持部材１１には身体（ボデイ）の背面を拡範囲で覆うボックス状の第１収納部を設ける。この第１収納部の具体的な大きさとしては、Ａ４対応すなわちＡ４サイズの書籍はもちろんのことＡ４サイズの封筒（角２）が充分に入る大きさに設定することにより、学生は当然のことビジネスマンに至るまで幅広く活用できるよう形成する。この第１収納部１９の上部には図３で示すように開口部２０を設け、この開口部２０に開閉具２１を設ける。２２は第１収納部１９の開口部２０を含め第一収納部１９の大部分を覆う方形のカバーを示し、このカバー２２に例えば防水機能を施こすことにより、第１収納部１９の内容物を水滴から守ることができる。２３は製品を区別するために使用するブランドマーク取付け用の座片を示す。前記バック本体１の前面、すなわち前面支持部材３の下方には日常生活に欠かすことのできないスマートホン等のコンピューターの端末機専用の第２収納部を設ける。２５はそのカバーを示す。２６は第２収納部の開閉具であり、２７はバック本体１の内部に設けた地図あるいはガイドブック（図示せず）を入れる第３収納部である。この第３収納部２７の大きさはバック本体１の背面支持部材１１の幅とほぼ同サイズの設定にすることが望ましい。図５において２８は携帯用の袋、２９はファスナーを示したものである。
【産業上利用の可能性】
【００１０】  本考案のウエアラブルバッグはフッション性と実用性の両方を兼ね備えた画期的なものであり、列記すると次の通りである。
１．本考案のウエアラブルバッグを構成するパーツ数が極めて少なく、直線的な方形の裁断加工の為に生地の無駄が少なく環境にも配慮しコストダウンを計ることができる。
２．物入れの収納部にかかる負荷を、手、腕、肩と集中してかかるのを解決し、負荷を分散して保持できるようにしたので、使用時における荷物の持ち運びが容易で快適に行うことができる。
３．保持ベルトの使用なしに荷物を持ち運ぶことができる。
４．使用者の体形に対応しサイズを調節することができる。
５．着衣脱衣が容易かつ自由で、不使用時には手のひらサイズに折りたたみ携帯できる為に、日常生活における幅広い年齢層に好適であるばかりでなく、総重量が２００ｇ未満という最軽量である為にインバウンドアウトバウンド等の旅行者にも便利に利用できる。
６．使用時における人の目に触れる一枚のパーツの面積が広く大きい為に企業のイベント・キャンペーン等のプレミアム、ノベルティグッズとしての利用ができるため産業上の利用は計りしれなく大きい。
【符号の説明】
【００１１】１  バック本体
２，３  前面支持部材
４  開閉具
５，６  ツマミ突片
７  襟元部
８  第１開口部
９，１０  肩支持部材
１１  背面支持部材
１２，１３  第２，第３開口部
１４，１５  胴部支持部材
１６  スリット
１７，１８  調節金具
１９  第１収納部
２０  開口部
２１  開閉具
２２  収納カバー
２３  ブランド座片
２４  第２収納部
２５  収納カバー
２６  開閉具
２７  第３収納部
２８  携帯用袋
２９  ファスナー
【図１】
0003200136.tif 000003
【図２】
0003200136.tif 000004
【図３】
0003200136.tif 000005
【図４】
0003200136.tif 000006
【図５】
0003200136.tif 000007
【手続補正書】
【提出日】平成27年7月14日(2015.7.14)
【手続補正１】
【補正対象書類名】実用新案登録請求の範囲
【補正対象項目名】請求項２
【補正方法】変更
【補正の内容】
【請求項２】
前記バック本体の胴部支持部材に身体（ボディ）胴部のサイズを自由に変更できる調節具を設けたことを特徴とする請求項１に記載のウエアラブルバッグ。